(57)【要約】【課題】サイズの異なる用紙での印刷が混在しており、大きいサイズの用紙に対してＺ折りする場合に、Ｚ折りされる用紙がユーザにとって取り扱い易いように印刷する。【解決手段】印刷装置３のＣＰＵ３１は、プログラム記憶部３３に格納された印刷制御プログラム３３ａを実行することにより、印刷ジョブにサイズの異なる用紙を混在して印刷する指示が含まれているか否かを判定するサイズ混在判定手段３１ａと、印刷ジョブにＺ折りされる用紙へ両面印刷する指示が含まれているか否かを判定するＺ折り両面印刷判定手段３１ｂと、印刷ジョブにサイズの異なる用紙を混在して印刷する指示が含まれ、かつ、Ｚ折りされる用紙へ両面印刷する指示が含まれている場合、Ｚ折りされる用紙については片面印刷に変更する印刷制御手段３１ｃとを備える。【選択図】      図１
2015104862.tif 000002
【特許請求の範囲】
【請求項１】
受信した印刷ジョブにサイズの異なる用紙を混在させて印刷する指令が含まれているか否かを判定するサイズ混在判定手段と、
前記印刷ジョブにＺ折りされる用紙へ両面印刷する指令が含まれているか否かを判定するＺ折り両面印刷判定手段と、
前記サイズ混在判定手段により前記印刷ジョブにサイズの異なる用紙を混在して印刷する指令が含まれていると判定され、かつ、前記Ｚ折り両面印刷判定手段により前記印刷ジョブにＺ折りされる用紙へ両面印刷する指令が含まれていると判定された場合、前記Ｚ折りされる用紙については片面印刷で画像を印刷する印刷制御手段と、
を備えたことを特徴とする印刷装置。
【請求項２】
前記印刷制御手段は、
前記Ｚ折り両面印刷判定手段により前記印刷ジョブにＺ折りされる用紙へ両面印刷する指令が含まれていると判定され、前記サイズ混在判定手段により前記Ｚ折りされる用紙の次のページの用紙サイズが前記Ｚ折りされる用紙サイズの半分以下であると判定された場合、前記Ｚ折りされる用紙の裏面側の白紙ページを２分割したうちいずれか一方のページにのみ前記Ｚ折りされる用紙の次のページの画像を印刷する
ことを特徴とする請求項１記載の印刷装置。
【発明の詳細な説明】
【技術分野】
【０００１】
本発明は、サイズの異なる用紙が混在し、かつ大きいサイズの用紙に対してＺ折りする場合に、Ｚ折りされる用紙をユーザにとって取り扱い易いように印刷する印刷装置に関する。
【背景技術】
【０００２】
縦のＡ４用紙と横のＡ３用紙や、横のＡ４用紙と縦のＡ３用紙等、用紙の縦横が９０度ずれており、かつ、用紙サイズが２倍である組み合わせからなる原稿がある。このような印刷用紙が混在する原稿を１つの印刷物として扱いパンチやステープル等で綴じる場合、印刷物を扱い易くするため、用紙サイズが大きい用紙をいわゆるＺ折りすることにより見た目の大きさを統一した後に隅等をパンチやステープル等で綴じることが一般的である。
【０００３】
特許文献１には、サイズの異なる用紙が混在し、異なるサイズの用紙のうち大きいサイズの用紙の短辺と小さいサイズの用紙の長辺の長さが用紙の搬送方向と直交する方向で一致し、用紙束を綴じて開いたときに全ての用紙の画像の方向が同じになる組み合わせの場合にステープル綴じを行わせる一方、それ以外の場合にはステープル綴じを行わせずに、見開いた時に見やすい場合のみステープル綴じするようにした印刷システムが提案されている。
【先行技術文献】
【特許文献】
【０００４】
【特許文献１】特開２００２−２４１０４１号公報
【発明の概要】
【発明が解決しようとする課題】
【０００５】
しかしながら、上述の特許文献１に記載の印刷システムでは、サイズの異なる用紙が混在していた場合におけるステープル綴じを制御しており、サイズの異なる用紙であって用紙にＺ折りされる用紙とＺ折りされない用紙とが混在しているとき、Ｚ折りされる用紙に印刷する場合の取り回しや扱いについては何ら考慮されていない。
【０００６】
図５は、縦のＡ４用紙９１と横のＡ３用紙９３とが混在した印刷物９０を示しており、（ａ）はその印刷物９０を表面側から見た状態を示し、（ｂ）はその印刷物９０を裏面側から見た状態を示している。
【０００７】
図５（ａ），（ｂ）から明らかように、このような印刷物９０では、上述したように取り扱い易くするため、サイズの大きいＡ３用紙９３は、Ｚ折りした後にパンチやステープル等で表面側から見た際の左隅を綴じている。
【０００８】
このとき、図６（ａ）に示すように、Ｚ折りされたＡ３用紙９３の表面側に印刷された内容は、Ｚ折りされた部分９３ａを利き手（右手）側の図上矢印が示す右方向に引き出せば簡単に広げることができるので、その内容を確認し易い。また、図６（ｂ）に示すように、用紙サイズの異なる縦のＡ４用紙９１と左上隅をステープル等で綴じた後も、前ページの縦のＡ４用紙９１等をめくってＡ３用紙９３の裏にまわし易いので、比較的邪魔にならない。
【０００９】
一方、Ｚ折りされたＡ３用紙９３に両面印刷する場合、その裏面側に印刷された内容は、図７（ａ）に示すように図上、利き手（右手）側でない図上矢印が示す左方向に引き出す必要があるため、ユーザは広げたり折り畳みしたりする動作が必要となり扱い難い。また、Ｚ折りされたＡ３用紙９３の裏面側を広げたとしても、用紙サイズの異なる縦のＡ４用紙９１と左上隅がステープル等で綴じられており、Ａ４用紙９１などで次のページがある場合、図７（ｂ）に示すように広いスペースが必要になったり、Ａ３用紙９３に埋もれてＡ４用紙９１を見落としたりしてしまい、非常に扱い難いものになってしまう。
【００１０】
本発明は、このような課題に鑑みてなされたもので、サイズの異なる用紙での出力が混在しており、大きいサイズの用紙に対してＺ折りする場合に、Ｚ折りされる用紙をユーザにとって取り扱い易いように印刷する印刷装置を提供することを目的とする。
【課題を解決するための手段】
【００１１】
上記目的を達成するため、本発明に係る印刷装置の第１の特徴は、受信した印刷ジョブにサイズの異なる用紙を混在させて印刷する指令が含まれているか否かを判定するサイズ混在判定手段と、前記印刷ジョブにＺ折りされる用紙へ両面印刷する指令が含まれているか否かを判定するＺ折り両面印刷判定手段と、前記サイズ混在判定手段により前記印刷ジョブにサイズの異なる用紙を混在して印刷する指令が含まれていると判定され、かつ、前記Ｚ折り両面印刷判定手段により前記印刷ジョブにＺ折りされる用紙へ両面印刷する指令が含まれていると判定された場合、前記Ｚ折りされる用紙については片面印刷で画像を印刷する印刷制御手段と、を備えたことにある。
【００１２】
また、本発明に係る印刷装置の第２の特徴は、前記印刷制御手段は、前記Ｚ折り両面印刷判定手段により前記印刷ジョブにＺ折りされる用紙へ両面印刷する指令が含まれていると判定され、前記サイズ混在判定手段により前記Ｚ折りされる用紙の次のページの用紙サイズが前記Ｚ折りされる用紙サイズの半分以下であると判定された場合、前記Ｚ折りされる用紙の裏面側の白紙ページを２分割したうちいずれか一方のページにのみ前記Ｚ折りされる用紙の次のページの画像を印刷することにある。
【発明の効果】
【００１３】
本発明に係る印刷装置の第１の特徴によれば、印刷ジョブにサイズの異なる用紙を混在させて印刷する指令が含まれていると判定され、かつ、印刷ジョブにＺ折りされる用紙へ両面印刷する指令が含まれていると判定された場合、Ｚ折りされる用紙については片面印刷で画像を印刷する。そのため、Ｚ折りされる用紙の裏面に印刷されないので、ユーザは、Ｚ折りされる用紙を容易に取り扱うことができる。
【００１４】
また、本発明に係る印刷装置の第２の特徴によれば、例えばＡ３でＺ折りされる用紙の次のページが半分以下の用紙サイズである場合、Ｚ折りされた用紙の裏面側の白紙ページを２分割したうちいずれか一方にのみＡ４ページの１ページ分を印刷する。Ｚ折りされない部分に印刷した場合は、Ｚ折りされた部分を引っ張って裏返さずにＡ４ページの１ページ分を確認でき、また、Ｚ折りされる部分に印刷した場合は、裏返さずＺ折り部分を開くだけでＡ４ページの１ページ分を確認できる。これにより、用紙の取り扱いの容易さを保ちつつ、用紙を節約することができる。
【図面の簡単な説明】
【００１５】
【図１】本発明に係る一実施例の印刷システムの構成を示す図である。
【図２】本発明に係る一実施例の印刷システムの印刷装置における印刷動作を示すフローチャートである。
【図３】図２におけるステップＳ８００の片面・両面切換え印刷処理の詳細な動作を示すフローチャートである。
【図４】本発明に係る一実施例の印刷装置を構成する印刷装置における印刷例１〜４を示す図で、（ａ）は原稿の用紙サイズを示し、（ｂ）〜（ｅ）はそれぞれ印刷例１〜４を示す図である。
【図５】縦のＡ４用紙と横のＡ３用紙とが混在した印刷物を示し、（ａ）はその印刷物を表面側から見た状態、（ｂ）はその印刷物を裏面側から見た状態を示す図である。
【図６】（ａ）はＺ折りされたＡ３用紙の表面側は広げ易いことを示し、（ｂ）はＺ折りされたＡ３用紙がＡ４用紙と混在していても表面側は広げ易いことを示す図である。
【図７】（ａ）はＺ折りされたＡ３用紙の裏面側は広げ難いことを示し、（ｂ）はＺ折りされたＡ３用紙がＡ４用紙と混在していた場合、さらに裏面側は広げ難いことを示す図である。
【発明を実施するための形態】
【００１６】
以下、本発明に係る一実施例の印刷システムについて説明する。
【００１７】
図１は、本発明に係る一実施例の印刷システムの構成を示す図である。
【００１８】
図１に示すように、この印刷システムは、サイズの異なる用紙が混在し、異なるサイズの用紙のうち大きいサイズの用紙は印刷後に、Ｚ折りしてサイズの小さい用紙と大きさを揃えて綴じ処理を行うもので、印刷装置３と後処理装置５とを備えており、ネットワーク７を介して印刷ジョブを生成して送信する端末装置１が接続されている。
【００１９】
端末装置１は、汎用のＰＣ等で、ＣＰＵ１１と、メモリ１２と、ＣＰＵ１１が実行する各種プログラムが記憶されたプログラム記憶部１３と、表示部１４と、キーボード等の入力部１５と、ネットワークＩ／Ｆ部１６等を備える。
【００２０】
端末装置１のプログラム記憶部１３には、印刷すべき原稿を作成する原稿作成アプリケーションプログラム（以下、適宜、原稿作成アプリケーションと略す。）１３aや、原稿作成アプリケーション１３aによって作成した原稿から印刷ジョブを生成するプリンタドライバプログラム（以下、適宜、プリンタドライバと略す。）１３ｂ等が記憶されている。
【００２１】
印刷装置３は、ＣＰＵ３１と、メモリ３２と、印刷制御プログラム３３ａ等のＣＰＵ３１が実行する各種プログラムが記憶されたプログラム記憶部３３と、後処理装置５等と接続される外部装置Ｉ／Ｆ部３４と、印刷装置３に対するユーザからの各種操作を受付ける操作受付部３５と、インクジェットや孔版印刷等により印刷を実行する印刷実行部３６と、ネットワークＩ／Ｆ部３７等を備える。
【００２２】
印刷装置３のＣＰＵ３１は、プログラム記憶部３３に記憶された印刷制御プログラム３３ａを実行することにより、印刷装置３全体の制御を実行すると共に、その機能上、サイズ混在判定手段３１ａと、Ｚ折り両面印刷判定手段３１ｂと、印刷制御手段３１ｃとを備える。
【００２３】
サイズ混在判定手段３１ａは、受信した印刷ジョブにサイズの異なる用紙を混在して印刷する指令が含まれているか否かを判定する。
【００２４】
Ｚ折り両面印刷判定手段３１ｂは、印刷ジョブにＺ折りされる用紙へ両面印刷する指令が含まれているか否かを判定する。
【００２５】
印刷制御手段３１ｃは、サイズ混在判定手段３１ａにより印刷ジョブにサイズの異なる用紙を混在して印刷する指令が含まれていると判定され、かつ、Ｚ折り両面印刷判定手段３１ｂにより印刷ジョブにＺ折りされる用紙へ両面印刷する指令が含まれていると判定された場合、Ｚ折りされる用紙については片面印刷に変更する。
【００２６】
後処理装置５は、印刷装置３等と接続される外部装置Ｉ／Ｆ部５１と、Ｚ折り処理部５２と、パンチまたはステープ処理等の綴じ処理部５３等を備えている。
【００２７】
＜本発明に係る一実施例の印刷システムの動作＞
次に、本発明に係る一実施例の印刷システムの動作について説明する。
【００２８】
まず、端末装置１内にてＣＰＵ１１が原稿作成アプリケーション１３ａを実行して、Ａ４用紙への縦書きとＡ３用紙への横書きや、Ａ４用紙への横書きとＡ３用紙の縦書き等、サイズの異なる用紙が混在する複数ページからなる原稿を作成し、その後、プリンタドライバ１３ｂを起動し、後処理装置５における所定の後処理を含む印刷ジョブを作成し、印刷装置３に対しネットワーク７を介し送信する。
【００２９】
ここで、この印刷ジョブは、説明のため、Ａ４用紙を縦方向で使用して印刷するページと、Ａ３用紙の横方向で使用して印刷するページとを含む原稿の印刷を、印刷装置３に対して指示する内容を含むものとする。また、後処理装置５における所定の後処理として、サイズの大きい方の用紙、すなわちこの例では横方向のＡ３用紙をＺ折りするＺ折り処理と、Ａ４用紙とＺ折りしたＡ３用紙の左側等をパンチまたはステープル等の綴じ処理を含むものとする。
【００３０】
図２は、本発明に係る一実施例の印刷システムが備える印刷装置３の動作を示すフローチャートである。
【００３１】
図２に示すように、印刷装置３は、端末装置１から上述のように横のＡ３用紙のＺ折り処理と、縦のＡ４用紙とＺ折りした横方向のＡ３用紙の左側等をパンチまたはステープル等の綴じ処理を含む印刷ジョブをネットワークＩ／Ｆ３８を介してＣＰＵ３１が受信すると（ステップＳ１００“ＹＥＳ”）、ＣＰＵ３１は、プログラム記憶部３３に記憶されている印刷制御プログラム３３ａを実行し、その印刷ジョブに両面印刷の指令が含まれているか否かを判定する（ステップＳ２００）。
【００３２】
ステップＳ２００において、端末装置１から受信した印刷ジョブに両面印刷の指令を含まない、すなわち全ページを片面印刷する指令の場合（“ＮＯ”）、ＣＰＵ３１の印刷制御手段３１ｃは、印刷実行部３６に対し全てを片面印刷させ（ステップＳ３００）、片面印刷された印刷物を後処理装置５へ排出すると共に、後処理指令を外部装置Ｉ／Ｆ部３４を介して後処理装置５へ送信し、印刷処理を終了する。
【００３３】
後処理装置５では、印刷装置３から印刷ジョブに従った後処理指令を外部装置Ｉ／Ｆ部５１を介して受信すると共に、印刷実行部３６から印刷物を受取り、印刷装置３からの印刷ジョブに基づく後処理指令に従ってＺ折り処理部５２でＺ折りを実行したり、綴じ処理部５３でパンチまたはステープル等の綴じ処理を実行し、後処理後の印刷物を排出する。
【００３４】
一方、ステップＳ２００において、端末装置１から受信した印刷ジョブに両面印刷の指令を含むと判定された場合（“ＹＥＳ”）、ＣＰＵ３１のサイズ混在判定手段３１ａは、印刷ジョブに印刷時の用紙サイズを混在させる指示が含まれているか否かを判定する（ステップＳ４００）。例えば、端末装置１の原稿作成アプリケーション１３ａの実行で作成された原稿サイズがＡ４とＡ３で混在していても、印刷時の用紙サイズがＡ４またはＡ３等に統一される場合には、“ＮＯ”と判定される。
【００３５】
ステップＳ４００において、印刷ジョブに印刷時の用紙サイズを混在させることを指示が含まれていないと判定された場合（“ＮＯ”）、すなわち印刷ジョブがＡ４サイズまたはＡ３サイズ等のいずれかの用紙サイズで印刷することを指令している場合、ＣＰＵ３１の印刷制御手段３１ｃは、印刷実行部３６に対し必要があれば縮小や拡大させて指定された用紙サイズの用紙に片面印刷または両面印刷を実行させ（ステップＳ５００）、指定された用紙サイズの用紙に画像を印刷した印刷物を後処理装置５へ排出する。なお、印刷装置３で印刷された印刷物を後処理装置５へ排出した後の処理は、片面印刷の場合と同様であるので、説明は省略する。
【００３６】
一方、ステップＳ４００において、印刷ジョブに印刷時の用紙サイズを混在させる指示が含まれていると判定された場合（ステップＳ４００“ＹＥＳ”）、Ａ４サイズやＡ３サイズ等の異なる用紙サイズが混在して印刷される場合であるため、ＣＰＵ３１は、印刷ジョブにＺ折り指令が含まれているか否かを判定する（ステップＳ６００）。
【００３７】
ステップＳ６００において、印刷ジョブにＺ折り指令が含まれていない場合（“ＮＯ”）、Ａ４サイズやＡ３サイズ等の異なる用紙サイズが混在していても印刷後、後処理装置５でサイズの大きな用紙をＺ折りせずに、そのままパンチまたはステープル等の綴じ処理を実行する場合である。そのため、ＣＰＵ３１の印刷制御手段３１ｃは、印刷実行部３６に対し原稿サイズの変わり目で用紙を切換えさせながら片面印刷または両面印刷を実行させて（ステップＳ７００）、画像を印刷された印刷物を後処理装置５へ排出する。なお、この場合も印刷された印刷物を後処理装置５へ排出した後の処理は、上述の通りであるため、説明は省略する。
【００３８】
一方、ステップＳ６００において、印刷ジョブにＺ折り指令が含まれている場合（“ＹＥＳ”）、ＣＰＵ３１は、次の図３で詳細に示す片面・両面切換え印刷処理を実行する（ステップＳ８００）。
【００３９】
図３は、図２におけるステップＳ８００の片面・両面切換え印刷処理の詳細処理を示すフローチャートである。
【００４０】
図２において、ステップＳ６００において、印刷ジョブにＺ折り指令が含まれていると判定された場合（“ＹＥＳ”）、印刷ジョブには、両面印刷が含まれ（ステップＳ２００“ＹＥＳ”）、かつ、印刷用紙サイズを混在させることが指示され（ステップＳ４００“ＹＥＳ”）、サイズの大きな用紙はＺ折りされることが指示されている（ステップＳ６００“ＹＥＳ”）ことになる。
【００４１】
そのため、印刷装置３のＣＰＵ３１は、図３に示す片面・両面切換え印刷処理により、まずは、ページ数Ｎに初期値として“１”を代入し（ステップＳ８０１）、続いて印刷ジョブで印刷を指令されているＮページ目の用紙サイズが（Ｎ−１）ページ目の用紙サイズと同じであるか否かを判定する（ステップＳ８０３）。なお、Ｎ＝１の場合は、１ページ目の用紙サイズと０ページ目の用紙サイズとを比較することになるが、０ページ目は存在しないので、ＣＰＵ３１は、用紙サイズは異なる、すなわち“ＮＯ”と判定する。
【００４２】
ステップＳ８０３において、Ｎページ目の用紙サイズが（Ｎ−１）ページ目の用紙サイズと同じである場合（“ＹＥＳ”）、ＣＰＵ３１は、続いて印刷ジョブで前ページである（Ｎ−１）ページ目が表面への印刷であるか否かを判定する（ステップＳ８０５）。
【００４３】
ステップＳ８０５において、前ページである（Ｎ−１）ページ目の印刷が表面でない場合（“ＮＯ”）、その（Ｎ−１）ページ目が裏面であり印刷を保留されてなく、Ｎページ目が表面であるということなので、ＣＰＵ３１の印刷制御手段３１ｃは、印刷実行部３６にＮページ目を表面に画像を印刷させ（ステップＳ８０７）、さらにＮページ目が最終ページであるか否かを判定する（ステップＳ８０９）。
【００４４】
ステップＳ８０９において、Ｎページ目が最終ページでないと判定された場合（“ＮＯ”）、ＣＰＵ３１はＮを“１”だけインクリメントして（ステップＳ８１１）、再度、ステップＳ８０３のＮページ目の用紙サイズが（Ｎ−１）ページ目の用紙サイズと同じであるか否かの処理に戻り、ステップＳ８０３の以降の処理を繰り返し実行する。
【００４５】
一方、ステップＳ８０５において、印刷ジョブで前ページである（Ｎ−１）ページ目が表面への印刷であると判定された場合（“ＹＥＳ”）、現在のＮページ目は裏面への印刷であることになるので、ＣＰＵ３１のＺ折り両面印刷判定手段３１ｂは、印刷ジョブで(Ｎ−１)ページ目をＺ折りされているか否かを判定する（ステップＳ８１３）。
【００４６】
ステップＳ８１３において、印刷ジョブで前ページである(Ｎ−１)ページ目をＺ折りすることが指示されていない場合（“ＮＯ”）、ＣＰＵ３１は、印刷実行部３６にＮページ目を(Ｎ−１)ページ目の裏面に印刷を実行させる（ステップＳ８１５）。これは、印刷ジョブの指令通りの印刷となる。
【００４７】
一方、ステップＳ８１３において、印刷ジョブで(Ｎ−１)ページ目をＺ折りされている場合（“ＹＥＳ”）、端末装置１からの印刷ジョブにより、(Ｎ−１)ページ目とＮページ目とが用紙サイズの大きいＡ３サイズ等への印刷であり、Ｎページ目をＺ折りされる(Ｎ−１)ページ目の裏面側に印刷することが指示されている場合である。
【００４８】
そのため、ＣＰＵ３１の印刷制御手段３１ｃは、Ｎページ目の印刷に関しては印刷ジョブに従わず、すなわちＮページ目は(Ｎ−１)ページ目の裏面ではなく次の用紙に画像を印刷させるよう表面として印刷を保留する（ステップＳ８１７）。
【００４９】
これにより、本発明に係る一実施例の印刷装置３によれば、端末装置１から送信された印刷ジョブで両面印刷によりＮページ目をＺ折りされる前ページである(Ｎ−１)ページ目の裏面に印刷するように指示されていた場合でも、(Ｎ−１)ページ目とＮページ目は片面印刷で、それぞれ、表面に印刷することができる。
【００５０】
その結果、Ｎページ目はＺ折りされる(Ｎ−１)ページ目の裏面に印刷されることを回避して、印刷装置３が印刷した印刷物を後処理装置５の綴じ処理部５３にてパンチやステープル等によって綴じた場合でも、読み難くなったり、扱い難くなることを防止できる。
【００５１】
次に、ＣＰＵ３１は、Ｎページ目が最終ページであるか否かを判定し（ステップＳ８０９）、Ｎページ目が最終ページでない場合（ステップＳ８０９“ＮＯ”）、Ｎを“１”だけインクリメントして（ステップＳ８１１）、再度、ステップＳ８０３の判定処理に戻り、ステップＳ８０３の以降の処理を実行する。
【００５２】
一方、ステップＳ８０９において、Ｎページ目が最終ページであると判定された場合（“ＹＥＳ”）、ＣＰＵ３１は、Ｎページまでの印刷がステップＳ８１７の処理で保留されているか否かを判定する（ステップＳ８１９）。
【００５３】
ステップＳ８１９において、Ｎページまでの印刷が保留されていないと判定された場合（“ＮＯ”）、ＣＰＵ３１は、以上の印刷制御処理をそのまま終了する。
【００５４】
一方、ステップＳ８１９において、Ｎページまでの印刷が保留されている場合（“ＹＥＳ”）、印刷ジョブで最終ページのＮページ目をＺ折りされる用紙の裏面へ印刷を指令している場合や、最終ページのＮページ目までＺ折りされる用紙への両面印刷が連続している場合である。
【００５５】
そのため、Ｎページまでの印刷が保留されている場合（ステップＳ８１９“ＹＥＳ”）、ステップＳ８１７において、Ｎページ目は(Ｎ−１)ページ目の裏面ではなく次の用紙に印刷させるよう表面として印刷を保留したものの、Ｚ折りされる用紙が最終ページ、またはＺ折りされる用紙が最終ページまで連続する場合であり、Ｚ折りされた用紙を広げ難かったり、読み難いことはない。そこで、ＣＰＵ３１の印刷制御手段３１ｃは、ステップＳ８１７の処理にて印刷が保留されたＮページまでを両面印刷で画像を印刷する（ステップＳ８２１）。
【００５６】
一方、ステップＳ８０３において、“ＮＯ”と判定された場合、すなわちＮページ目の用紙サイズが（Ｎ−１）ページ目の用紙サイズと異なる場合、ＣＰＵ３１は、（Ｎ−１）ページ目までの印刷がステップＳ８１７の処理で保留されているか否かを判定する（ステップＳ８２３）。なお、Ｎ＝１の場合は、０ページまでの印刷が保留されているかを判定することになるが、０ページ目は存在しないので、ＣＰＵ３１は、保留されていない、すなわち“ＮＯ”と判定する。
【００５７】
ステップＳ８２３において、（Ｎ−１）ページ目までの印刷が保留されている場合（“ＹＥＳ”）とは、前ページである（Ｎ−１）ページ目が表面への印刷で、Ｚ折りされる場合で、さらにステップＳ８１７の処理によって印刷が保留され、かつ、ステップＳ８０９の処理により最終ページでないと判定されて、ステップＳ８１１において変数Ｎがインクリメントされた場合である。
【００５８】
そのため、（Ｎ−１）ページ目までの印刷が保留されている場合（ステップＳ８２３“ＹＥＳ”）、ＣＰＵ３１の印刷制御手段３１ｃは、印刷実行部３６に対し（Ｎ−１）ページ目までを設定通り印刷させる（ステップＳ８２５）。
【００５９】
次に、ＣＰＵ３１は、印刷ジョブの設定にユーザによる集約や用紙節約設定が含まれているか否かを判定する（ステップＳ８２７）。ここで、印刷ジョブの設定にユーザによる集約や用紙節約設定が含まれていない場合は（ステップＳ８２７“ＮＯ”）、印刷実行部３６に対しＮページ目を次の用紙の表面側に印刷させる（ステップＳ８３５）。
【００６０】
これに対し、印刷ジョブの設定にユーザによる集約や用紙節約設定が含まれている場合（ステップＳ８２７“ＹＥＳ”）、ＣＰＵ３１は、続いて印刷ジョブでＮページ目の用紙サイズが（Ｎ−１）ページ目の用紙サイズの半分以下であるか否かを判定する（ステップＳ８３１）。なお、ステップＳ８３１において、Ｎ＝１の場合は、１ページ目の用紙サイズが０ページ目の用紙サイズの半分以下であるか否かを判定することになるが、０ページ目は存在しないので、ＣＰＵ３１は、１ページ目の用紙サイズが０ページ目の用紙サイズの半分以下ではない、すなわち“ＮＯ”と判定する。
【００６１】
そして、Ｎページ目の用紙サイズが（Ｎ−１）ページ目の用紙サイズの半分以下である場合（ステップＳ８３１“ＹＥＳ”）、（Ｎ−１）ページ目の裏面にＮページの画像を印刷する（ステップＳ８３３）。例えば、Ａ３用紙である（Ｎ−１）ページ目の裏面のＺ折りされない半ページの部分等にその半分の用紙サイズであるＡ４サイズでＮページ目を印刷する。これにより、Ｚ折り部分を広げないでも、（Ｎ−１）ページ目の裏面側でＮページ目を閲覧することができる。
【００６２】
一方、Ｎページ目の用紙サイズが（Ｎ−１）ページ目の用紙サイズの半分以下でない場合は（ステップＳ８３１“ＮＯ”）、例えば、Ｎページ目の用紙サイズと（Ｎ−１）ページ目の用紙サイズが同じである場合や、Ａ３サイズとＢ４サイズ等の半分より大きい場合は「、Ｚ折りされる（Ｎ−１）ページ目の裏面にＮページを印刷すると、Ｚ折り部分にも印刷されるおそれがあり、（Ｎ−１）ページ目の裏面側のＺ折り部分を広げないと、Ｎページ目を閲覧できないおそれがある。
【００６３】
そこで、ＣＰＵ３１は、印刷ジョブの設定にユーザによる集約や用紙節約設定が含まれていても（ステップＳ８２７“ＹＥＳ”）、Ｎページ目の用紙サイズが（Ｎ−１）ページ目の用紙サイズの半分以下でない場合は（ステップＳ８３１“ＮＯ”）、印刷実行部３６に対しＮページ目を次の用紙の表面側に印刷させる（ステップＳ８３５）。
【００６４】
そして、ステップＳ８３３およびＳ８３５の処理によりＮページ目の印刷が完了した場合、上述のステップＳ８０９に以降してＮページ目が最終ページまで連続するか否かを判定し、上述と同様の処理を実行する。
【００６５】
図４は、図２および図３に示す本発明に係る一実施例の印刷システムを構成する印刷装置３における印刷例１〜４を示す図で、（ａ）は原稿の用紙サイズを示し、（ｂ）〜（ｅ）はそれぞれ印刷例１〜４を示す図である。
【００６６】
図４（ａ）は、印刷すべき原稿の用紙サイズとページ数を示しており、具体的には、１〜８ページ目までがＡ４、Ａ３、Ａ３、Ａ４、Ａ３、Ａ３、Ａ３、Ａ３の原稿９０１〜９０８を印刷することを示している。
【００６７】
図４（ｂ）は、印刷装置３における印刷例１を示している。印刷例１は、印刷時の用紙サイズを混在させずに、ステップＳ５００で印刷ジョブに従って指定された印刷用紙サイズで１〜８ページ目までを両面印刷する印刷ジョブを実行した場合である。この場合、ＣＰＵ３１は、図２のステップＳ４００の処理で“ＮＯ”と判定して、印刷実行部３６に印刷ジョブで指定された印刷用紙サイズで両面印刷を実行する。
【００６８】
具体的には、図４（ｂ）に示すように、印刷ジョブに従って１〜８ページ目までの奇数ページは表面側に印刷し、偶数ページは裏面側に印刷することを交互に繰り返して両面印刷する。その際、印刷ジョブにより印刷用紙サイズとしてＡ４サイズを指定されている場合、Ａ３サイズの原稿である２、３、５〜８ページ目の原稿９０２、原稿９０３および原稿９０５〜９０８はＡ３サイズであるため、各原稿を１／２に縮小してＡ４サイズで印刷する。その結果、この場合には、Ａ４用紙が４枚印刷されることになる。
【００６９】
図４（ｃ）は、印刷装置３における印刷例２を示している。印刷例２は、印刷用紙サイズをＡ４サイズとＡ３サイズで混在して印刷させ、かつ、Ａ３サイズでは両面印刷を実行するものの、Ｚ折りを実行しない印刷ジョブを実行した場合である。この場合、ＣＰＵ３１は、図２のステップＳ６００の処理で“ＮＯ”と判定して、ステップＳ７００の処理により印刷実行部３６に原稿サイズの変わり目で用紙を切換えながら両面印刷を実行させる。
【００７０】
具体的には、図４（ｃ）に示すように、１ページ目のＡ４サイズの原稿９０１は表面に印刷し、２ページ目のＡ３サイズの原稿９０２も表面に印刷してＺ折りせず、３ページ目のＡ３サイズの原稿９０３はＡ３サイズの原稿９０２の裏面側に両面印刷する。同様に、４ページ目のＡ４サイズの原稿９０４は表面に印刷し、５ページ目のＡ３サイズの原稿９０５も表面に印刷してＺ折りせず、６ページ目のＡ３サイズの原稿９０６はＡ３サイズの原稿９０５の裏面側に両面印刷し、７ページ目のＡ３サイズの原稿９０７は表面に印刷してＺ折りせず、８ページ目のＡ３サイズの原稿９０８はＡ３サイズの原稿９０７の裏面側に両面印刷する。その結果、印刷例２の場合は、片面印刷のＡ４用紙が２枚、両面印刷でＺ折りされないＡ３用紙３枚が印刷されることになる。
【００７１】
図４（ｄ）は、印刷装置３における印刷例３を示している。印刷例３は、印刷ジョブに両面印刷指令と、印刷用紙がＡ３サイズおよびＡ４サイズの混在と、Ａ３用紙のＺ折り指令が含まれており、かつ、ユーザによる集約や用紙節約設定が含まれてなくＺ折りしたＡ３用紙の裏面側にＡ４用紙を印刷しない印刷ジョブを実行した場合である。この場合、印刷ジョブに両面印刷指令と、印刷用紙がＡ３サイズおよびＡ４サイズの混在と、Ａ３用紙のＺ折り指令が含まれているため、ＣＰＵ３１は、図２のステップＳ６００の判定処理で“ＹＥＳ”と判定して、図３で詳細に示すステップＳ８００の片面・両面切換え印刷処理を実行する。
【００７２】
具体的には、まず、１ページ目のＡ４サイズの原稿９０１は、１ページ目であり、前ページである（Ｎ−１）ページが存在せず、ユーザによる集約や用紙節約設定も含まれていないため、図３に示すステップＳ８００の片面・両面切換え印刷処理図３において、ステップＳ８０１→ステップＳ８０３“ＮＯ”→ステップＳ８２３“ＮＯ”→ステップＳ８２７“ＮＯ”→Ｓ８３５と進み、Ｓ８３５の処理でＡ４用紙の表面に印刷される。
【００７３】
次に、２ページ目のＡ３の原稿９０２は、印刷ジョブに両面印刷指令およびＡ３用紙のＺ折り指令が含まれており、また、前ページである１ページ目がＡ４サイズの原稿９０１であって印刷が保留されてなく、ユーザによる集約や用紙節約設定も含まれていないため、図３に示すステップＳ８００の片面・両面切換え印刷処理において、ステップＳ８０３“ＮＯ”→ステップＳ８２３“ＮＯ”→ステップＳ８２７“ＮＯ”→Ｓ８３５と進み、Ｓ８３５の処理でＡ３用紙の表面に印刷される。
【００７４】
次に、３ページ目のＡ３の原稿９０３は、印刷ジョブに両面印刷指令がＡ３用紙のＺ折り指令が含まれており、前ページである２ページ目がＡ３サイズの原稿９０２であって印刷が保留されていないため、図３に示すステップＳ８００の片面・両面切換え印刷処理において、ステップＳ８０３“ＹＥＳ”→ステップＳ８０５“ＹＥＳ”→ステップＳ８１３“ＹＥＳ”→ステップＳ８１７と進む。つまり、３ページ目のＡ３の原稿９０３は、ステップＳ８１７で、次のＡ３用紙の表面に印刷するものとして印刷を保留され、２ページ目のＡ３の原稿９０２の裏面に印刷されない。
【００７５】
そして、３ページ目のＡ３の原稿９０３は、最終ページでないため、ステップＳ８０９“ＮＯ”→ステップＳ８１１へと進み、４ページ目のＡ４の原稿９０４についてステップＳ８０３“ＮＯ”→ステップＳ８２３“ＹＥＳ→ステップＳ８２５と進んだ際に、ステップＳ８１７で保留されたＡ３用紙の表面に印刷されることになる。
【００７６】
これにより、Ａ４用紙やＡ３用紙等のサイズの異なる用紙への印刷が混在していて、サイズの大きいＡ３用紙は印刷した後、Ｚ折りして、サイズの小さいＡ４用紙と共に綴じ処理を実行する際に、Ｚ折りされるサイズの大きなＡ３用紙には、印刷ジョブにより２ページ目および３ページ目のＡ３の原稿９０２，９０３に両面印刷が指令されていても、図４（ｄ）に示すように２ページ目および３ページ目のＡ３の原稿９０２，９０３はそれぞれ表面側に片面印刷される。そのため、Ａ３の原稿９０２，９０３は両面されないので、広げ易くなると共に、取り扱い易くなる。
【００７７】
そして、現在の４ページ目のＡ４の原稿９０４は、３ページ目のＡ３の原稿９０３の半分以下のサイズであるが、Ｚ折りでＡ３サイズ用紙の原稿の裏面にＡ４サイズ用紙の原稿を印刷しない印刷ジョブであるため、ステップＳ８２７でユーザによる集約や用紙節約設定はない（“ＮＯ”）と判定され、現在の４ページ目のＡ４の原稿９０４は、ステップＳ８３５に進み、図４（ｄ）に示すようにＡ４サイズ用紙の表面に印刷されることなる。
【００７８】
そして、現在の４ページ目のＡ４の原稿９０４は、最終ページでなく、次の５ページ目はＡ３の原稿９０５であるため、ステップＳ８０９“ＮＯ”→ステップＳ８１１と進み、次の５ページ目のＡ３の原稿９０５になる。５ページ目のＡ３の原稿９０５では、ステップＳ８０３“ＮＯ”→ステップＳ８２３“ＮＯ”→ステップＳ８２７“ＮＯ”→ステップＳ８３５と進み、Ａ３用紙の表面に印刷される。
【００７９】
現在の５ページ目のＡ３の原稿９０５も最終ページでないため、ステップＳ８０９“ＮＯ”→ステップＳ８１１と進み、次の６ページ目のＡ３の原稿９０６になる。ここで、６〜８ページ目までＡ３の原稿９０６〜９０８が続くため、ステップＳ８０３“ＹＥＳ”→ステップＳ８０５“ＹＥＳ”→ステップＳ８１３“ＹＥＳ” →ステップＳ８１７→ステップＳ８０９に進み、このループを繰り返す。
【００８０】
そして、Ｎページが最終ページである８ページ目のＡ３の原稿９０８になると、ステップＳ８０９で“ＹＥＳ”と判定され、ステップＳ８１９へ進み、６〜８ページ目までのＡ３の原稿９０６〜９０８はステップＳ８１７で表面への印刷として保留されているためステップＳ８１９で“ＹＥＳ”と判定され、ステップＳ８２１へ進む。
【００８１】
これにより、ステップＳ８１７の処理で表面への印刷として保留された６〜８ページ目までがＳ８２１の処理で両面印刷に変更され、図４（ｄ）に示すようにＺ折りされるＡ３用紙の両面に印刷されることになる。
【００８２】
図４（ｅ）は、印刷装置３における印刷例４を示している。印刷例４は、印刷ジョブに両面印刷指令と、印刷用紙がＡ３サイズおよびＡ４サイズの混在と、Ａ３用紙のＺ折り指令が含まれており、かつ、Ｚ折りしたＡ３用紙の裏面側にＡ４用紙を印刷するというユーザによる集約または紙節約設定等がある印刷ジョブを実行した場合である。
【００８３】
印刷例４は、１ページ目のＡ４の原稿９０１〜３ページ目のＡ３の原稿９０３まで処理は、図４（ｄ）に示す印刷例３の場合と同じである。４ページ目のＡ４の原稿９０４の印刷のときに、この印刷例４の印刷ジョブにはＺ折りしたＡ３用紙の裏面側にＡ４用紙を印刷するというユーザによる集約または紙節約設定等があり、かつ、４ページ目のＡ４の原稿９０４は、前ページである３ページ目のＡ３の原稿９０３の半分以下のサイズであるため、図３のステップＳ８２７で“ＹＥＳ”と判定され、ステップＳ８３１でも“ＹＥＳ”と判定される。
【００８４】
そのため、この場合は、ステップＳ８３３に進み、４ページ目のＡ４の原稿９０４は図４（ｅ）に示すようにＺ折りされる前ページである３ページ目のＡ３の原稿９０３の裏面側の白紙ページを２分割したうちいずれか一方にのみＡ４ページの画像を１ページ分印刷する。Ｚ折りされない部分に印刷した場合は、Ｚ折りされた部分を引っ張って裏返さずにＡ４ページの画像を確認でき、また、Ｚ折りされる部分に印刷した場合は、裏返さずＺ折り部分を開くだけでＡ４ページの画像を確認できる。これにより、用紙の取り扱いの容易さを保ちつつ、用紙を節約することができる。
【００８５】
その後は、図４（ｄ）に示す場合と同様で、現在の４ページ目のＡ４の原稿９０４は最終ページでなく、次の５ページ目はＡ３の原稿９０５であるため、ステップＳ８０９“ＮＯ”→ステップＳ８１１→ステップＳ８０３“ＮＯ”→ステップＳ８２３“ＮＯ”→ステップＳ８２７“ＹＥＳ”→ステップＳ８３１“ＮＯ”→ステップＳ８３５と進み、Ａ３用紙の表面に印刷される。そして、６〜８ページ目までのＡ３の原稿９０６〜９０８は、ステップＳ８１７の処理で表面への印刷が保留され、最終的にＳ８２１の処理で両面印刷に変更されて、Ｚ折りされるＡ３用紙の両面に印刷されることになる。
【００８６】
以上説明したように、本発明に係る一実施例の印刷装置によれば、印刷ジョブによってサイズの異なる用紙での印刷が混在していて、サイズの大きい用紙は両面印刷した後、Ｚ折りして綴じ処理を行うものと指定されていても、Ｚ折りされる用紙が最終ページ、またはＺ折りされる用紙が最終ページまで連続する場合を除き、Ｚ折りされるサイズの大きい用紙については片面印刷に変更して裏面側に印刷しないので、Ｚ折りされるサイズの大きな用紙が広げ難くなったり、取り扱い難くなることを防止できる。
【００８７】
特に、本発明に係る一実施例の印刷装置によれば、サイズの大きいＺ折りされる用紙が最終ページ、またはＺ折りされる用紙が最終ページまで連続する場合は、Ｚ折りされる用紙が広げ難かったり、取り扱い難いということがないので、片面印刷に変更した場合でも、印刷ジョブに従って両面印刷に戻して印刷することができる。
【００８８】
なお、本発明に係る一実施例の説明では、印刷ジョブにサイズの異なる用紙を混在して印刷する指令が含まれていて、かつ、Ｚ折りされる用紙へ両面印刷する指令が含まれている場合には、Ｚ折りされる用紙については片面印刷に変更し、Ｚ折りされ両面印刷される用紙が最終ページまたは最終ページまで連続する場合は両面印刷に戻すように説明したが、本発明では、これに限らず、後処理装置５の綴じ処理部５３でパンチやステープル等の綴じ処理を実行しない場合には、印刷ジョブにサイズの異なる用紙を混在して印刷する指令が含まれていて、かつ、Ｚ折りされる用紙へ両面印刷する指令が含まれていても、Ｚ折りされる用紙へは片面印刷に変更せずに、両面印刷のままで印刷するようにしても良い。
【符号の説明】
【００８９】
１…端末装置
１１…ＣＰＵ
１２…メモリ
１３…プログラム記憶部
１３ａ…原稿作成アプリケーションプログラム
１３ｂ…プリンタドライバプログラム
１４…表示部
１５…入力部
１６…ネットワークＩ／Ｆ部
３…印刷装置
３１…ＣＰＵ
３１ａ…サイズ混在判定手段
３１ｂ…Ｚ折り両面印刷判定手段
３１ｃ…印刷制御手段
３２…メモリ
３３…プログラム記憶部
３３ａ…印刷制御プログラム
３４…外部装置Ｉ／Ｆ部
３５…操作受付部
３６…印刷実行部
３７…ネットワークＩ／Ｆ部
５…後処理装置
５１…外部装置Ｉ／Ｆ部
５２…Ｚ折り処理部
５３…綴じ処理部
７…ネットワーク
【図１】
2015104862.tif 000003
【図２】
2015104862.tif 000004
【図３】
2015104862.tif 000005
【図４】
2015104862.tif 000006
【図５】
2015104862.tif 000007
【図６】
2015104862.tif 000008
【図７】
2015104862.tif 000009